(57)【要約】【課題】省エネルギーモード時に操作パネル部等、余計な部分に通電する必要を無くす画像形成装置を提供する。【解決手段】ホストコンピュータより一定時間以上印刷指示がなかった場合に低電力状態に移行する省エネルギーモードを有する画像形成装置において、前記省エネルギーモード時においても通電がなされている回路部にて駆動される照度センサを有し、前記照度センサは、光を検知する受光量検知手段を有し、前記省エネルギーモードではない状態で、前記受光量検知手段により検知した受光量が一定量以下であって、該状態が一定時間以上持続した場合は、省エネルギーモード状態に移行する第１の制御手段と、前記省エネルギーモード状態で、前記受光量検知手段により検知した受光量が一定量以上である場合は、前記省エネルギーモード状態から通常の待機状態に移行する第２の制御手段を有する。【選択図】        図１
2004175099.tif 000002
【特許請求の範囲】
【請求項１】
ホストコンピュータより一定時間以上印刷指示がなかった場合に低電力状態に移行する省エネルギーモードを有する画像形成装置において、
前記省エネルギーモード時においても通電がなされている前記画像形成装置内の回路部にて駆動される照度センサを有し、
前記照度センサは、光を検知する受光量検知手段を有し、
前記省エネルギーモードではない状態で、前記受光量検知手段により検知した受光量が一定量以下であって、
受光量が一定量以下である状態が一定時間以上持続した場合は、省エネルギーモード状態に移行する第１の制御手段と、
前記省エネルギーモード状態で、前記受光量検知手段により検知した受光量が一定量以上である場合は、前記省エネルギーモード状態を解除し、通常の待機状態に移行する第２の制御手段を有することを特徴とする画像形成装置。
【請求項２】
前記第２の制御手段は、前記省エネルギーモード状態で、前記受光量検知手段によって検知した受光量が一定量以下から一定量以上に変化し、一定量以上の受光量である状態が一定時間以上持続した場合に、前記省エネルギーモード状態を解除し、通常の待機状態にモードを移行する制御手段を有することを特徴とする請求項１記載の画像形成装置。
【請求項３】
前記省エネルギーモード時においても通電がなされている前記画像形成装置内の回路部にて駆動される振動センサを有し、
前記振動センサは、振動を検知する振動検知手段を有し、
前記省エネルギーモード状態で、前記受光量検知手段により検知した受光量が一定量以上である場合に、前記振動検知手段により検知した振動が一定量以上の場合は、前記省エネルギーモード状態を解除し、通常の待機状態に移行する手段を有することを特徴とする請求項１または２記載の画像形成装置。
【請求項４】
複数のホストＩ／Ｆを有する画像形成装置において、
前記省エネルギーモード状態で、前記受光量検知手段により検知した受光量が一定量以上であり、メインのホストＩ／Ｆ以外の手段を用いる場合であって、
前記振動検知手段により検知した振動が一定量以上の場合は、前記省エネルギーモード状態を解除し、通常の待機状態に移行する手段を有することを特徴とする請求項３記載の画像形成装置。
【請求項５】
複数のホストＩ／Ｆを有する画像形成装置において、
前記省エネルギーモード状態で、前記ホストＩ／Ｆを介し、ホストコンピュータより印刷指示を受信した場合は、前記省エネルギーモード状態を解除する手段を有することを特徴とする請求項３または４記載の画像形成装置。
【請求項６】
ホストコンピュータより一定時間以上プリント指令が発行されなかった場合に、装置本体を省エネルギーモード状態に移行する画像形成装置において、
手動もしくは自動により装置の主電源をＯＮ／ＯＦＦするメインスイッチと、所定の振動量が印加されるとその旨を検知する振動センサと、所定の波長と照度を有する光が照射されるとその旨を検知する照度センサと、前記主電源の２次側の出力をＯＮ／ＯＦＦする２次側電圧制御手段と、前記２次側電圧制御手段及びメインスイッチを制御する省エネ制御部と、を備え、
前記省エネ制御部は、前記振動センサ、及び照度センサの検知結果に基づいて前記２次側電圧制御手段若しくはメインスイッチを制御することにより、装置の省エネと安全性を確保することを特徴とする画像形成装置。
【請求項７】
前記省エネ制御部は、装置本体が省エネルギーモード状態でなく、前記照度センサにより検知した照度が所定の照度以下で、且つ該状態が所定時間以上継続した場合には、前記２次側電圧制御手段をＯＦＦにして前記装置本体を省エネルギーモード状態に移行することを特徴とする請求項６に記載の画像形成装置。
【請求項８】
前記省エネ制御部は、装置本体が省エネルギーモード状態で、しかも前記照度センサにより検知した照度が所定の照度以下から所定の照度以上に変化し、且つ該状態が所定時間以上継続した場合には、前記２次側電圧制御手段をＯＮにして前記装置本体を待機状態に移行することを特徴とする請求項６に記載の画像形成装置。
【請求項９】
前記省エネ制御部は、装置本体が省エネルギーモード状態で、しかも前記照度センサにより検知した照度が所定の照度以上である時に、前記振動センサにより所定の振動量を越える振動を検知した場合は、前記２次側電圧制御手段をＯＮにして前記装置本体を待機状態に移行することを特徴とする請求項６に記載の画像形成装置。
【請求項１０】
前記省エネ制御部は、装置本体が省エネルギーモード状態で、前記照度センサにより検知した照度が所定の照度以下である時に、前記振動センサにより所定の振動量を越える振動を検知した場合は、前記メインスイッチをＯＦＦすることを特徴とする請求項６に記載の画像形成装置。
【請求項１１】
前記振動センサ及び照度センサは、装置本体内の省エネルギーモード時においても通電がなされている回路部にて駆動されることを特徴とする請求項６から１０の何れか１項に記載の画像形成装置。
【請求項１２】
ホストコンピュータより一定時間以上プリント指令が来なかった場合に、通常の待機状態から低電力状態に移行する、いわゆる省エネルギーモード状態を有する画像形成装置において、
省エネルギーモード状態においても通電がなされており、待機状態および低電力状態間の状態移行の制御を行う制御手段を有し、
前記制御手段は、所定の振動量が印加されるとその旨を検知する振動検知手段と、所定の波長と照度を有する光が照射されるとその旨を検知する照度検知手段とを有することを特徴とし、
前記制御手段は、
装置本体が通常の待機状態にて、前記照度検知手段によって検知した受光量が一定量以下であり、該状態が一定時間以上持続した場合には、装置本体を省エネルギーモード状態に移行させ、
装置本体が省エネルギーモード状態にて、前記照度検知手段によって検知した受光量が一定量以下から一定量以上に変化し、且つ該状態が一定時間以上持続した場合、もしくは装置本体が省エネルギーモード状態にて、前記照度検知手段によって検知した受光量が一定量以上であり、該状態にて前記振動検知手段によって装置本体が一定量を越える振動を検知した場合には、省エネルギーモードの状態を解除して通常の待機状態にモードを移行させることを特徴とし、
前記制御手段は、所定の音声を出力する音声出力手段を有しており、前記音声出力手段は、装置本体が省エネルギーモード状態で前記照度検知手段によって検知した受光量が一定量以上であり、該状態にて前記振動検知手段によって装置本体が一定量を越える振動を検知した場合には、その時点での装置の状態を音声にて出力することを特徴とする画像形成装置。
【発明の詳細な説明】
【０００１】
【発明の属する技術分野】
本発明は、画像形成装置に関し、さらに詳しくは、省エネモードを備えた画像形成装置に関するものである。
【０００２】
【従来の技術】
昨今の地球環境保全に対応して、レーザープリンタ等の画像形成装置においても一定時間以上ホストコンピュータからプリント指令が来なかった場合に通常の待機状態からさらに消費電力を低減するいわゆる省エネルギーモード（以後省エネモードと呼ぶ）に移行するものが増えている。
【０００３】
ここで、省エネモード時には、装置の消費電力を極力抑えることが必要であり、一般的には省エネモードから装置が復帰するために必要最低限の回路部分のみに通電を行い、それ以外の部分に関しては通電を断つことによって達成される。
【０００４】
具体的に言うと、ネットワークプリンタの場合は、ホストコンピュータと繋がるネットワークＩ／Ｆ部のみを生かして、その他の部分の通電を断ち、当該ネットワークＩ／Ｆ部がホストコンピュータからプリント指令を受信した際に限り、その他の部分の通電を再開すると行った方法がとられる。
【０００５】
省エネに関する従来技術として、特許文献１には、通信装置やそれを備えた画像形成装置において、待機状態での消費電力を極力減らし、且つ必要が生じた時には動作できるようにする技術について開示されている。それによると、手動のメインスイッチがＯＦＦでＤＣ電源に給電していない場合でも、自動スイッチ手段である省エネルギー装置が、データの送信又は受信の開始に関する信号により作動してリレーの常開接点を閉じさせ、商用電源（ＡＣ１００Ｖ）によりＤＣ電源に給電する。そして、電源検知回路がメインスイッチのＯＦＦを検知しているため、制御部は一部の回路（通信に直接係わる回路と受信データを画像形成出力する画像形成部の回路を含む）にＤＣ電源から自動的に給電させるとしている。
【０００６】
また特許文献２には、簡単なソフトウェア制御で省エネモードから通常モ−ドへの復帰を実現する省エネルギー待機の画像形成装置について開示されている。それによると、電源供給を省エネにしているときの、通常モード復帰指示に応答して、画像形成装置のＣＰＵが、リセット信号を生成し、みずからもこのリセット信号に応じてリセット動作すなわち初期化を行なう。リセット信号生成前に、省エネでは電源遮断のデバイスへの、電源リレーをオンにする、又は、該デバイスが電源オンリセット機能があるときには、ＣＰＵの、電源オンリセット又は強制リセットによる初期化にてリレーをオンにする、もしくは、ＣＰＵの初期化にてリレーをオンにしかつデバイスをリセットする。外部機器からの復帰要求があったときにはそれをＮＶ−ＲＡＭに書込んでからリセット信号を生成し、その後通常モードに立上がると、ＮＶ−ＲＡＭに復帰要求があると外部機器との通信を優先し、スキャナの状態チェックは後廻しにしている。
【０００７】
【特許文献１】
特開平７−２２６８１５号公報
【特許文献２】
特開２０００−１７２１３０号公報
【０００８】
【発明が解決しようとする課題】
しかしながら、複数のホストＩ／Ｆを有するプリンタの場合（例えばネットワークＩ／Ｆ＋セントロＩ／Ｆ＋ＵＳＢ等）装置が省エネモード中にメインのホストＩ／Ｆ以外（上記例ではネットワークＩ／Ｆ以外）の手段でプリントをする場合にはホストコンピュータからの送信では省エネモードからの復帰は自動的には行われないため、送信に先立って装置の操作パネル部より操作することによって装置を省エネモードから復帰させるのが一般的であった。
【０００９】
ところがそのために、省エネモード時において操作の有無を検知する必要が生じるので、省エネモード時においても操作パネルの必要回路部分に通電を行うことが必要となっていた。
【００１０】
また、ネットワークプリンタの場合、プリンタ装置の状態（プリンタ用紙の残量等）をＬＡＮ上のホストで見ることが可能であるが、装置が省エネモードに入った場合においては、装置が自分自身の状態をチェックすることが不可能となるため、省エネモードに移行する前に保存された状態を見ることとなる。従って、装置が省エネモードの状態中にプリンタ用紙が抜きとられた場合などは、その変化をリアルタイムに検知することが不可能であるため、ユーザーはホストよりプリント指示を行い、実際に装置がプリント動作を開始した後でなければプリンタが紙無し状態であることがわからないといった不具合があった。
【００１１】
また、昨今はＭＦＰ／プリンタ共にカラー化傾向にあるが、カラー機は一般的に定着ユニットのウォームアップ時間が白黒機以上に必要となるため、省エネルギーモード状態から動作状態への復帰時間が長くなり、いざコピーやプリントを行おうとしてもユーザーは装置が立ち上がるまでしばらく待たされることとなる。この傾向は、夜間ずっと省エネモード状態であった装置を朝一番で使う場合が最も顕著であり、１０分前後待たされる場合もある。
【００１２】
また一方、身障者の方の社会における活躍の場が広がりつつある中、アプライアンス対応として装置の操作簡略化が一層求められ、装置の設定や装置の状態を把握するための操作は、操作パネルに依存すること無く極力単純化することが求められつつある。
【００１３】
また、特許文献１は、待機状態での消費電力を極力減らし、且つ必要が生じた時には動作できるようにする技術であり、待機状態を監視するための専用の電源が必要となり、コストアップは避けられない。
【００１４】
特許文献２も、リセット信号生成、動作に伴う生成の回路（リセット回路など）が必要となり、コストアップは避けられない。
【００１５】
本発明は、上記事情に鑑みてなされたものであり、省エネモード時においても通電がなされている回路部に照度センサと振動センサを具備しているので、本装置が設置されているオフィスが夜間に照明を消されることによって速やかに装置の状態を待機モードから省エネルギーモードに移行を行える画像形成装置を提供することを目的とする。
【００１６】
また、他の目的は周囲の明るさの変化を把握して、使用時の装置の立ち上がり時間を極力短くした画像形成装置を提供することを目的とする。
【００１７】
また照度センサーと振動センサーの両方の検知を組み合わせることによって、照度センサーが受光を検知していない夜間に地震等が起こった場合は復帰しないが、照度センサーが受光を検知している通常使用時においては、メインのホストＩ／Ｆ以外の手段でプリントをする場合に装置を省エネモードから復帰させるに際に、操作パネルを操作する必要は無く装置本体を軽く叩くことにて行い、省エネモード時に操作パネル部等、余計な部分に通電する必要を無くす画像形成装置を提供することを目的とする。
【００１８】
また、装置が省エネモード中に装置内のプリンタ用紙の抜き取り／追加等の人為的な振動を検知した場合においては、その際の振動によって装置が省エネモードから通常の待機モードに復帰するので、状態の変化をリアルタイムに検知できる画像形成装置を提供することを目的とする。
【００１９】
また、装置の状態（正常時であれば紙の残量／トナーの残量等、ジャム時であればジャムの箇所、異常時であればＳＣの内容等々）をユーザーに伝えるために操作パネル上の表示のみならず装置を軽く叩くと音声にてユーザーに伝えることによって、身障者の方にも簡単な操作で装置を扱える画像形成装置を提供することを目的とする。
【００２０】
さらに、夜間装置が省エネモード中に地震等によって振動があった場合においては、速やかに装置のメインスイッチをＯＦＦして装置全体の電源供給を断ち装置をより安全な状態に移行して、身障者の方々が働く職場に対しても、より安全な画像形成装置を提供することを目的とする。
【００２１】
【課題を解決するための手段】
かかる目的を解決するため、請求項１に記載の発明は、ホストコンピュータより一定時間以上印刷指示がなかった場合に低電力状態に移行する省エネルギーモードを有する画像形成装置において、前記省エネルギーモード時においても通電がなされている前記画像形成装置内の回路部にて駆動される照度センサを有し、前記照度センサは、光を検知する受光量検知手段を有し、前記省エネルギーモードではない状態で、前記受光量検知手段により検知した受光量が一定量以下であって、受光量が一定量以下である状態が一定時間以上持続した場合は、省エネルギーモード状態に移行する第１の制御手段と、前記省エネルギーモード状態で、前記受光量検知手段により検知した受光量が一定量以上である場合は、前記省エネルギーモード状態を解除し、通常の待機状態に移行する第２の制御手段を有することを特徴としている。
【００２２】
請求項２に記載の発明は、請求項１記載の発明において、前記第２の制御手段は、前記省エネルギーモード状態で、前記受光量検知手段によって検知した受光量が一定量以下から一定量以上に変化し、一定量以上の受光量である状態が一定時間以上持続した場合に、前記省エネルギーモード状態を解除し、通常の待機状態にモードを移行する制御手段を有することを特徴としている。
【００２３】
請求項３に記載の発明は、請求項１または２記載の発明において、前記省エネルギーモード時においても通電がなされている前記画像形成装置内の回路部にて駆動される振動センサを有し、前記振動センサは、振動を検知する振動検知手段を有し、前記省エネルギーモード状態で、前記受光量検知手段により検知した受光量が一定量以上である場合に、前記振動検知手段により検知した振動が一定量以上の場合は、前記省エネルギーモード状態を解除し、通常の待機状態に移行する手段を有することを特徴としている。
【００２４】
請求項４に記載の発明は、請求項３記載の発明において、複数のホストＩ／Ｆを有する画像形成装置において、前記省エネルギーモード状態で、前記受光量検知手段により検知した受光量が一定量以上であり、メインのホストＩ／Ｆ以外の手段を用いる場合であって、前記振動検知手段により検知した振動が一定量以上の場合は、前記省エネルギーモード状態を解除し、通常の待機状態に移行する手段を有することを特徴としている。
【００２５】
請求項５に記載の発明は、請求項３または４の発明において、複数のホストＩ／Ｆを有する画像形成装置において、前記省エネルギーモード状態で、前記ホストＩ／Ｆを介し、ホストコンピュータより印刷指示を受信した場合は、前記省エネルギーモード状態を解除する手段を有することを特徴としている。
【００２６】
かかる請求項１から５に記載の発明によれば、本装置が設置されているオフィスが夜間に照明を消されることによって速やかに装置の状態を待機モードから省エネルギーモードに移行し、かつ翌朝オフィス内の光を検知することによって、速やかに装置の状態を省エネルギーモードから待機モードに移行しているので、ユーザーに対する装置の操作性を簡易化し、かつ朝一番の立ち上げ時においてユーザーの待ち時間を低減させ、かつ装置の消費エネルギーを低減せしめているので、ユーザーに対するアプライアンスを向上させ、地球環境保全に貢献している。
また、メインのホストＩ／Ｆ以外の手段でプリントをする場合に装置を省エネモードから復帰させるに際して、操作パネルを操作する必要は無く装置本体を軽く叩くことにて行い、省エネモード時に操作パネル部等、余計な部分に通電する必要を無くしているので、ユーザーに対する装置の操作性を簡易化し、かつ装置の消費エネルギーを低減せしめているので、ユーザーに対するアプライアンスを向上させ、地球環境保全に貢献している。
また、装置が省エネモード中に装置内のプリンタ用紙の抜き取り／追加等をした場合においては、その際の振動によって装置が省エネモードから通常の待機モードに復帰するので、状態の変化をリアルタイムに検知しユーザーに知らせるので、ユーザーに対するアプライアンスを向上させている。
【００２７】
請求項６に記載の発明は、ホストコンピュータより一定時間以上プリント指令が発行されなかった場合に、装置本体を省エネルギーモード状態に移行する画像形成装置において、手動若しくは自動により装置の主電源をＯＮ／ＯＦＦするメインスイッチと、所定の振動量が印加されるとその旨を検知する振動センサと、所定の波長と照度を有する光が照射されるとその旨を検知する照度センサと、前記主電源の２次側の出力をＯＮ／ＯＦＦする２次側電圧制御手段と、前記２次側電圧制御手段及びメインスイッチを制御する省エネ制御部と、を備え、前記省エネ制御部は、前記振動センサ、及び照度センサの検知結果に基づいて前記２次側電圧制御手段若しくはメインスイッチを制御することにより、装置の省エネと安全性を確保することを特徴とする。
【００２８】
画像形成装置が省エネモードと待機状態に移行するとき、立ち上がりの時間が多くかかるのは待機状態に移行するときである。特に、朝一番で待機状態に移行する場合は、省エネモードが長いため、装置全体が冷え切っているため、定着部の温度が所定の温度まで立ち上がるまで長時間待たされることになる。これを解消する方法として、稼働時間のかなり前からタイマにより待機状態にする方法もあるが、無人の状態で電源が入るため安全性の点で難点がある。そこで本発明では、周囲の照明が点灯したり、日の光を検知することにより、そこから待機状態に移行して実際に稼動するまでの待ち時間を短縮するものである。また、逆に周囲が暗くなってから振動センサが振動を検出した場合は、無人の状態で地震が発生したと判断して主電源をＯＦＦにして安全性を高める。
かかる発明によれば、照度センサと振動センサにより、周囲状況を把握できるので、装置の最適な稼動状態を自動的に作り出すことができる。
【００２９】
請求項７に記載の発明は、請求項６に記載の発明において、前記省エネ制御部は、装置本体が省エネルギーモード状態でなく、前記照度センサにより検知した照度が所定の照度以下で、且つ該状態が所定時間以上継続した場合には、前記２次側電圧制御手段をＯＦＦにして前記装置本体を省エネルギーモード状態に移行することを特徴とする。
【００３０】
装置が待機モードで稼動中から一定の時間周囲の照度が低下した場合、周囲に人がいなくなり、業務が終了したと判断する。その場合、本発明では装置を待機モードから省エネモードに移行して無駄な電力の消耗を抑える。
かかる発明によれば、装置の周囲の明るさが一定の時間以上継続した場合、省エネモードに移行するので、無駄な電力の消耗を抑えることができる。
【００３１】
請求項８に記載の発明は、請求項６に記載の発明において、前記省エネ制御部は、装置本体が省エネルギーモード状態で、しかも前記照度センサにより検知した照度が所定の照度以下から所定の照度以上に変化し、且つ該状態が所定時間以上継続した場合には、前記２次側電圧制御手段をＯＮにして前記装置本体を待機状態に移行することを特徴とする。
【００３２】
請求項７とは逆に、省エネモード時に周囲の明るさが一定の時間一定の照度を超えた場合、照明が点灯して業務が開始されたと判断して省エネモードから待機モードに移行する。
かかる発明によれば、周囲の明るさが明るい方に変化したことを検出して、待機モードに移行するので、業務が開始したことを的確に把握でき、業務の効率を高めることができる。
【００３３】
請求項９に記載の発明は、請求項６に記載の発明において、前記省エネ制御部は、装置本体が省エネルギーモード状態で、しかも前記照度センサにより検知した照度が所定の照度以上である時に、前記振動センサにより所定の振動量を越える振動を検知した場合は、前記２次側電圧制御手段をＯＮにして前記装置本体を待機状態に移行することを特徴とする。
【００３４】
業務が開始されて周囲が明るい場合でも、所定の時間を経過しても装置が使用されない場合は、省エネモードに移行する。その状態で振動センサが所定の振動量を超える振動を検出した場合は、用紙切れかトナーの補給のために装置に振動を与えたと判断して、装置を待機モードに移行して、その後の動作を迅速にはかどるようにする。
かかる発明によれば、業務中に装置に適当な振動を与えることにより、装置が待機モードに移行するので、継続する業務の立ち上がりを迅速にすることができる。
【００３５】
請求項１０に記載の発明は、請求項６に記載の発明において、前記省エネ制御部は、装置本体が省エネルギーモード状態で、前記照度センサにより検知した照度が所定の照度以下である時に、前記振動センサにより所定の振動量を越える振動を検知した場合は、前記メインスイッチをＯＦＦすることを特徴とする。
【００３６】
請求項９では、業務中でしかも周囲に人がいる前提で判断していた。ところが、周囲の照度がある一定時間以上低下したときに、振動センサが所定量の振動を検知した場合は、業務が終了して周囲に人がいないときに地震が発生したと判断して、安全性を確保するためにメインスイッチをＯＦＦにする。
かかる発明によれば、周囲の照度が一定量以下に低下した場合に振動センサが所定の振動量を検知した場合、メインスイッチをＯＦＦにするので、無人の状況でも安全性を確保することができる。
【００３７】
請求項１１に記載の発明は、請求項１乃至５の何れか一項に記載の発明において、前記振動センサ及び照度センサは、装置本体内の省エネルギーモード時においても通電がなされている回路部にて駆動されることを特徴とする。
【００３８】
照度センサと振動センサは、いつその状態が発生するか予測できないので、常に稼動している必要がある。従って、それらの電源は省エネモードでも通電されている回路部により駆動される。
かかる発明によれば、照度センサと振動センサは、常時通電された状態であるので、如何なる状態においても照度と振動をリアルタイムに検知することができる。
【００３９】
請求項１２に記載の発明は、ホストコンピュータより一定時間以上プリント指令が来なかった場合に、通常の待機状態から低電力状態に移行する、いわゆる省エネルギーモード状態を有する画像形成装置において、省エネルギーモード状態においても通電がなされており、待機状態および低電力状態間の状態移行の制御を行う制御手段を有し、前記制御手段は、所定の振動量が印加されるとその旨を検知する振動検知手段と、所定の波長と照度を有する光が照射されるとその旨を検知する照度検知手段とを有することを特徴とし、前記制御手段は、装置本体が通常の待機状態にて、前記照度検知手段によって検知した受光量が一定量以下であり、該状態が一定時間以上持続した場合には、装置本体を省エネルギーモード状態に移行させ、装置本体が省エネルギーモード状態にて、前記照度検知手段によって検知した受光量が一定量以下から一定量以上に変化し、且つ該状態が一定時間以上持続した場合、もしくは装置本体が省エネルギーモード状態にて、前記照度検知手段によって検知した受光量が一定量以上であり、該状態にて前記振動検知手段によって装置本体が一定量を越える振動を検知した場合には、省エネルギーモードの状態を解除して通常の待機状態にモードを移行させることを特徴とし、前記制御手段は、所定の音声を出力する音声出力手段を有しており、前記音声出力手段は、装置本体が省エネルギーモード状態で前記照度検知手段によって検知した受光量が一定量以上であり、該状態にて前記振動検知手段によって装置本体が一定量を越える振動を検知した場合には、その時点での装置の状態を音声にて出力することを特徴とする。
【００４０】
かかる発明によれば、装置の状態（正常時であれば紙の残量／トナーの残量等、ジャム時であればジャムの箇所、異常時であればＳＣの内容等々）をユーザーに伝えるために操作パネル上の表示のみならず、装置を軽く叩くと音声にてユーザーに伝えることによって、身障者の方にも簡単な操作で装置を扱えるようにしているので、ユーザーに対するアプライアンスを向上させている。
【００４１】
【発明の実施の形態】
以下、本発明の実施の形態を図面を参照して説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００４２】
＜実施の形態１＞
図１は、本発明の実施の形態１にかかる画像形成装置内部を示す機能ブロック図である。本装置は、電源部１（以下ＰＳＵと呼ぶ）と、エンジンボード２と、コントローラーボード３と、ネットワークＩ／Ｆボード４（以下ＮＩＣと呼ぶ）と、操作部５と、コンバータ部６と、ＦＥＴトランジスタ７、８と、ＮＩＣ制御部９と、信号ライン１０、１１と、振動センサ１２と、照度センサ１３とを有し構成されている。
【００４３】
エンジンボード２は、本装置を動作させるためのメカトロニクス部品の制御を司る。コントローラーボード３は、ホストコンピュータから受信した画像データを実際の印字用データに変換してエンジンボード２に受け渡すものである。ＮＩＣ４は、コントローラーボードに接続されるＬＡＮのＩ／Ｆカードである。操作部５は、ユーザが本装置に対する諸設定を行うためのものである。
【００４４】
コンバータ部６は、ＰＳＵ１内部に有し、１次側からのＡＣ入力を変換して２次側にＤＣ出力するものである。ＦＥＴトランジスタ７は、本ＦＥＴをＯＮ／ＯＦＦすることにてコンバータ部６のＤＣ出力ａをＰＳＵ１から出力／未出力をコントロールすることができる。ＦＥＴトランジスタ８は、本ＦＥＴをＯＮ／ＯＦＦすることにてコンバータ部６のＤＣ出力ｂをＰＳＵ１から出力／未出力をコントロールすることができる。ＮＩＣ制御部９は、ＮＩＣ４の制御及びＦＥＴトランジスタ７、８の制御及び後述する振動センサ１２の検知を行う。
【００４５】
信号ライン１０は、ＦＥＴトランジスタ７のＯＮ／ＯＦＦを制御し、ＮＩＣ４のＮＩＣ制御部９から出力され、コントローラーボード３及びエンジンボード２を介してＰＳＵ１のＦＥＴトランジスタ７に至る。信号ライン１１は、ＦＥＴトランジスタ８のＯＮ／ＯＦＦを制御するための信号ラインであり、ＮＩＣ４のＮＩＣ制御部９から出力され、コントローラーボード３及びエンジンボード２を介してＰＳＵ１のＦＥＴトランジスタ８に至る。
【００４６】
振動センサ１２は、本装置に振動が加えられるとその旨を検知してＮＩＣ制御部９に伝えるものである。照度センサ１３は、光が照射されるとその旨を検知してＮＩＣ制御部９に伝えるものである。
【００４７】
ａはコンバータ部６のＤＣ出力のうちの１つであり、メカトロニクス駆動用としてＦＥＴコンバータ７を介してエンジンボード２に供給されるもので、その供給／非供給は、前述したようにＮＩＣ４のＮＩＣ制御部９がＦＥＴトランジスタ７を制御することによって決定される。本出力は一般的には＋２４Ｖである。
【００４８】
ｂはコンバータ部６のＤＣ出力のうちの１つであり、ロジック回路駆動用としてＦＥＴトランジスタ８を介してエンジンボード２及びコントローラーボード３及び操作部５に供給されるもので、その供給／非供給は、前述したようにＮＩＣ４のＮＩＣ制御部９が、ＦＩＴトランジスタ８を制御することによって決定される。本出力は一般的には＋５Ｖである。
【００４９】
ｃはコンバータ部６のＤＣ出力のうちの１つであり、ＮＩＣ４のＮＩＣ制御部９駆動用としてＮＩＣ４に供給されるもので、供給／非供給は制御されること無く常にＮＩＣ４のＮＩＣ制御部９に供給されている。本出力は一般的には＋５Ｖである。
【００５０】
すなわちＮＩＣ４のＮＩＣ制御部９は、省エネルギーモード時においてはＦＥＴトランジスタ７、８をＯＦＦすることによって、自分自身以外の全ての２次側の通電を断つことが可能であり、また、省エネルギーモードから復帰するに際してはＦＥＴトランジスタ７、８をＯＮすることによって自分自身以外の全ての２次側の通電を接続することが可能である。
【００５１】
図２は実施の形態２の制御手段のフローチャートであり、ＮＩＣ４のＮＩＣ制御部９に内蔵される制御プログラムの一部でありＮＩＣ４のＮＩＣ制御部９の動作を司るものである。
【００５２】
まず、ＮＩＣ制御部９は、一定周期毎にメインルーチンから本ルーチン（省エネモード制御ルーチン）に制御をジャンプする（ステップＳ２０１）。ＮＩＣ制御部９は照度センサ１３の受光量の検知を行い、検知した光量があらかじめ設定された設定値以上か否かを判断する。設定値以上であった場合（ステップＳ２０２でＹｅｓ）、ＮＩＣ制御部９はコントローラーボード３に問い合わせて再確認する（ステップＳ２０３）。コントローラーボード３の回答がＮｏであったら（ステップＳ２０３でＮｏ）、制御をメインルーチンに戻し通常動作を行う。コントローラーボード３の回答がＹｅｓであったら（ステップＳ２０３でＹｅｓ）、ＮＩＣ制御部９はＦＥＴトランジスタ７、８をＯＦＦして自分自身以外の全ての２次側の通電を断つ（ステップＳ２０４）。即ち、装置はこの時点より省エネモードの状態となる。
【００５３】
ＮＩＣ制御部９は振動センサ１２によって装置に加えられた振動を検知するか（ステップＳ２０５でＹｅｓ）、もしくはＬＡＮを介してホストコンピュータからプリント指令を受信したことによる割り込み（ステップＳ２０６）が発生しないかぎり、図２の波線内のループを繰り返す（ステップＳ２０７）。すなわち、本装置における省エネモードとは、ＮＩＣ制御部９が、図２の波線内をループしている状態である。
【００５４】
ＮＩＣ制御部９は振動センサ１２によって振動を検知するか（ステップＳ２０５でＹｅｓ）、もしくは割り込み（ステップＳ２０６）が発生した場合は、ＦＥＴトランジスタ７、８をＯＮして自分自身以外の全ての２次側の通電を再開する（ステップＳ２０８）。即ち装置はこの時点より省エネモードから復帰する。後に制御をメインルーチンに戻し通常動作を行う。
【００５５】
受光量が設定値以下であると判断された場合（ステップＳ２０２でＮｏ）、ＮＩＣ制御部９は予め設定された設定回数に到達するまでループを繰り返す（ステップＳ２０９⇔ステップＳ２０２）。このループの中で設定回数に到達する以前に受光量が設定値以上であると判断された場合はステップＳ２０３に制御は移行する。また、このループの回数が設定回数まで到達した場合は（ステップＳ２０９でＹｅｓ）、ステップＳ２１０に制御は移行する。すなわち、このループを繰り返すことにて（ステップＳ２０９⇔ステップＳ２０２）、装置に光が当たっていない時間が一定時間以上かどうかを検出している。
【００５６】
装置に光が当たっていない時間が一定時間以上であると判断された場合は（ステップＳ２０９でＹｅｓ）、ＮＩＣ制御部９はＦＥＴトランジスタ７、８をＯＦＦして自分自身以外の全ての２次側の通電を断つ（ステップＳ２１０）。即ち装置はこの時点より省エネモードの状態となる。
【００５７】
ＮＩＣ制御部９は照度センサ１３の受光量の検知を行い、検知した光量があらかじめ設定された設定値以上か否かを判断する。設定値以上であった場合は（ステップＳ２１１でＹｅｓ）、設定回数をカウントする（ステップＳ２１２）。設定値以下であった場合は（ステップＳ２１１でＮｏ）設定値以上の受光を検知するまで自己ループを繰り返す。受光量が設定値以上であると判断された場合（ステップＳ２１１でＹｅｓ）、ＮＩＣ制御部９は予め設定された設定回数に到達するまでこのループを繰り返す（ステップＳ２１２→ステップＳ２１１）。このループの中で設定回数に到達する以前に受光量が設定値以下であると判断された場合は（ステップＳ２１２でＮｏ）、再度設定値以上の受光を検知するまで自己ループを繰り返す（ステップＳ２１１）。また、このループの回数が設定回数まで到達した場合は（ステップＳ２１２でＹｅｓ）、ループから抜ける。すなわち、これを繰り返すことにて（ステップＳ２１２→ステップＳ２１１のループ）、装置に光が当たっている時間が一定時間以上かどうかを検出している。
【００５８】
装置に光が当たっている時間が一定時間以上であると判断された場合は（ステップＳ２１２でＹｅｓ）、ＮＩＣ制御部９はＦＥＴトランジスタ７、８をＯＮして自分自身以外の全ての２次側の通電を再開する（ステップＳ２１３）。即ち、装置はこの時点より省エネモードから復帰する。後に制御をメインルーチンに戻し通常動作を行う。
【００５９】
＜実施の形態２＞
図３は、本発明の実施の形態２に係る画像形成装置内部の機能ブロック図である。この画像形成装置は、ＡＣ電源からＤＣ電圧に変換するコンバータ６とＤＣ電圧の出力をスイッチングするＦＥＴトランジスタ７、８を有する電源ユニット（以下、ＰＳＵと記す）１と、本装置を動作させるためのメカトロニクス部品の制御を司るエンジンボード２と、図示しないホストコンピュータから受信した画像データを実際の印字用データに変換してエンジンボード２に受け渡すコントローラボード３と、コントローラボード３に接続されるＬＡＮ１４のＩ／ＦカードであるネットワークＩ／Ｆボード（以下、ＮＩＣと記す）４と、ユーザーが本装置に対する諸設定を行うための操作部５と、本装置の電源のＯＮ／ＯＦＦを行うメインスイッチ１５を備えて構成される。尚、ＮＩＣ４には、ＦＥＴトランジスタ７、８及びメインスイッチ１５を制御するＮＩＣ制御部９があり、そこに振動センサ１２、照度センサ１３を接続している。また、コントローラボード３にはセントロニクスＩ／Ｆ１６が備えられている。
【００６０】
例えば、本実施形態ではＮＩＣ制御部９は、信号線１１によりＦＥＴトランジスタ８のゲート（Ｇ）に電圧を加えることにより、ソース（Ｓ）に接続されたコンバータ６のＤＣ電圧（ｂ）をドレイン（Ｄ）に出力するように構成され、同様にして、信号線１０によりＦＥＴトランジスタ７のゲート（Ｇ）に電圧を加えることにより、ソース（Ｓ）に接続されたコンバータ６のＤＣ電圧（ａ）をドレイン（Ｄ）に出力するように構成され、電源線１７はＮＩＣ制御部９に常時供給される電源である。信号線１８はメインスイッチ１５のソレノイドＬの一方に接続され、他方はＤＣ電圧（ａ）から電圧が供給され、信号線１８を接地することによりメインスイッチ１５をＯＦＦするように構成されている。尚、メインスイッチ１５は、ＯＮ時に際しては一般的なスイッチと同様にオペレーターが手動にて行うが、ＯＦＦ時に際しては一般的なスイッチと同様にオペレーターが手動にて行うことに加えてＮＩＣ制御部９の信号線１８により制御される。
【００６１】
また、ＦＥＴトランジスタ８のドレイン（Ｄ）から出力されるＤＣ電圧（ｂ）は、エンジンボード２、コントローラボード３、及び操作部５に夫々供給される。また、ＦＥＴトランジスタ７のドレイン（Ｄ）から出力されるＤＣ電圧（ａ）は、エンジンボード２に供給される。また、ＡＣ電圧はメインスイッチ１５を介してＰＳＵ１内のコンバータ６に入力される。
【００６２】
図４は、実施の形態２の省エネモード制御のフローチャートであり、ＮＩＣ制御部９に内蔵される制御プログラムの一部でありＮＩＣ制御部９の動作を司るものである。先ず、ＮＩＣ制御部９は一定周期毎にメインルーチンから本ルーチン（省エネモード制御ルーチン）に制御をジャンプする（Ｓ４０１）。そして、ＮＩＣ制御部９は照度センサ１３の照度の検知を行い、検知した照度が、あらかじめ設定された設定値以上か否かを判断する（Ｓ４０２）。設定値以上であった場合は（Ｓ４０２でＹＥＳのルート）、ＮＩＣ制御部９はコントローラボード３に問い合わせて省エネモードか否かを再確認する（Ｓ４０３）。そして、コントローラボード３の回答がＮＯであったら、制御をメインルーチンに戻し通常動作を行う。ステップＳ４０３で省エネモードの場合、ＮＩＣ制御部９はＦＥＴトランジスタ７、８をＯＦＦして自分自身以外の全ての２次側の通電を断つ（Ｓ４０４）。即ち、装置はこの時点より省エネモードの状態となる。次に、ＮＩＣ制御部９は振動センサ１２によって装置に加えられた振動を検知するか、もしくはＬＡＮ１４を介してホストコンピュータからプリント指令を受信したことによる割り込みが発生しないかぎり、ステップＳ４０５のループを繰り返す。即ち、本装置における省エネモードとは、ＮＩＣ制御部９が破線内のステップＳ４０５をループしている状態である。そして、ＮＩＣ制御部９は振動センサ１２によって振動を検知するか、もしくは割り込みが発生した場合は、ＦＥＴトランジスタ７、８をＯＮして自分自身以外の全ての２次側の通電を再開する（Ｓ４０６）。即ち、装置はこの時点より省エネモードから復帰する。その後に制御をメインルーチンに戻し通常動作を行う。
【００６３】
ステップＳ４０２で照度が設定値以下であると判断された場合（Ｓ４０２でＮＯのルート）、ＮＩＣ制御部９は予め設定された設定回数に到達するまでループを繰り返す（Ｓ４０７）。このループの中で設定回数に到達する以前に受光量が設定値以上であると判断された場合は、ステップＳ４０３に制御は移行する。また、このループの回数が設定回数まで到達した場合は（Ｓ４０７でＹＥＳのルート）、装置に光が当たっていない時間が一定時間以上であると判断された場合であるので、ＮＩＣ制御部９は、ＦＥＴトランジスタ７、８をＯＦＦにして自分自身以外の全ての２次側の通電を断つ（Ｓ４０８）。即ち、装置はこの時点より省エネモードの状態となる。次に、ＮＩＣ制御部９は振動センサ１２によって装置に振動が加えられているか否かを検知する（Ｓ４０９）。振動が無かった場合は（Ｓ４０９でＮＯのルート）、ＮＩＣ制御部９は照度センサ１３の照度の検知を行い、検知した照度があらかじめ設定された設定値以上か否かを判断する（Ｓ４１１）。設定値以下であった場合は（Ｓ４１１でＮＯのルート）、設定値以上の受光を検知するまでループを繰り返す。なおこのループ中に装置にステップＳ４０９にて装置に振動が検知された場合は制御をステップＳ４１０に移行する。ステップＳ４１１で設定値以上であった場合は（Ｓ４１１でＹＥＳのルート）、ＮＩＣ制御部９は予め設定された設定回数に到達するまでＳ４１２→Ｓ４０９→Ｓ４１１のループを繰り返す。なおこのループ中に装置にＳ４０９にて装置に振動が検知された場合は、制御をＳ４１０に移行する。また、このループの中で設定回数に到達する以前に受光量が設定値以下であると判断された場合は、Ｓ４１１にて再度設定値以上の受光を検知するまでＳ４１１→Ｓ４０９のループを繰り返す。また、このループの回数が設定回数まで到達した場合は、装置に光が当たっている時間が一定時間以上であると判断された場合であるので、ＮＩＣ制御部９はＦＥＴトランジスタ７、８をＯＮにして自分自身以外の全ての２次側の通電を再開する（Ｓ４１３）。即ち、装置はこの時点より省エネモードから復帰する。その後に制御をメインルーチンに戻し通常動作を行う。
【００６４】
また、制御が本処理に移行した場合、即ち省エネモード時で且つ装置に受光が無い状態にて、装置に振動が加えられた場合は、ＮＩＣ制御部９はメインスイッチ駆動信号１８をＬＯＷにしてメインスイッチ１５をＯＦＦにする（Ｓ４１０）。メインスイッチ１５がＯＦＦされたことにより装置への電源供給は断たれる。
【００６５】
＜実施の形態３＞
図５は、本発明の実施の形態３にかかる画像形成装置内部を示す機能ブロック図である。この画像形成装置は、ＡＣ電源からＤＣ電圧に変換するコンバータ６とＤＣ電圧の出力をスイッチングするＦＥＴトランジスタ７、８を有する電源ユニット（以下、ＰＳＵと記す）１と、本装置を動作させるためのメカトロニクス部品の制御を司るエンジンボード２と、図示しないホストコンピュータから受信した画像データを実際の印字用データに変換してエンジンボード２に受け渡すコントローラボード３と、コントローラボード３に接続されるＬＡＮ１４のＩ／ＦカードであるネットワークＩ／Ｆボード（以下、ＮＩＣと記す）４と、ユーザーが本装置に対する諸設定を行うための操作部５と、本装置の電源のＯＮ／ＯＦＦを行うメインスイッチ１５を備えて構成される。尚、ＮＩＣ４には、ＦＥＴトランジスタ７、８及びメインスイッチ１５を制御するＮＩＣ制御部９があり、そこに振動センサ１２、照度センサ１３を接続している。また、コントローラボード３にはセントロニクスＩ／Ｆ１６、音声出力を行い、ＮＩＣ制御部９にて制御される音声合成回路１９が備えられている。
【００６６】
例えば、本実施形態ではＮＩＣ制御部９は、信号線１１によりＦＥＴトランジスタ８にて、コンバータ６側に接続されたコンバータ６のＤＣ電圧（ｂ）をエンジンボード２側に出力するように構成され、同様にして、信号線１０によりＦＥＴトランジスタ７にて、コンバータ６側に接続されたコンバータ６のＤＣ電圧（ａ）をエンジンボード２側に出力するように構成され、電源線１７はＮＩＣ制御部９に常時供給される電源である。信号線１８はメインスイッチ１５のソレノイドＬの一方に接続され、他方はＤＣ電圧（ａ）から電圧が供給され、信号線１８を接地することによりメインスイッチ１５をＯＦＦするように構成されている。尚、メインスイッチ１５は、ＯＮ時に際しては一般的なスイッチと同様にオペレーターが手動にて行うが、ＯＦＦ時に際しては一般的なスイッチと同様にオペレーターが手動にて行うことに加えてＮＩＣ制御部９の信号線１８により制御される。
【００６７】
また、ＦＥＴトランジスタ８のエンジンボード２側から出力されるＤＣ電圧（ｂ）は、エンジンボード２、コントローラボード３、及び操作部５に夫々供給される。また、ＦＥＴトランジスタ７のエンジンボード２側から出力されるＤＣ電圧（ａ）は、エンジンボード２に供給される。また、ＡＣ電圧はメインスイッチ１５を介してＰＳＵ１内のコンバータ６に入力される。
【００６８】
図６は、実施の形態３の省エネモード制御のフローチャートであり、ＮＩＣ制御部９に内蔵される制御プログラムの一部でありＮＩＣ制御部９の動作を司るものである。先ず、ＮＩＣ制御部９は一定周期毎にメインルーチンから本ルーチン（省エネモード制御ルーチン）に制御をジャンプする（Ｓ６０１）。そして、ＮＩＣ制御部９は照度センサ１３の照度の検知を行い、検知した照度が、あらかじめ設定された設定値以上か否かを判断する（Ｓ６０２）。設定値以上であった場合は（Ｓ６０２でＹＥＳのルート）、ＮＩＣ制御部９はコントローラボード３に問い合わせて省エネモードか否かを再確認する（Ｓ６０３）。そして、コントローラボード３の回答がＮＯであったら、制御をメインルーチンに戻し通常動作を行う。ステップＳ６０３で省エネモードの場合、ＮＩＣ制御部９はＦＥＴトランジスタ７、８をＯＦＦして自分自身以外の全ての２次側の通電を断つ（Ｓ６０４）。即ち、装置はこの時点より省エネモードの状態となる。次に、ＮＩＣ制御部９は振動センサ１２によって装置に加えられた振動を検知するか、もしくはＬＡＮ１４を介してホストコンピュータからプリント指令を受信したことによる割り込みが発生しないかぎり、ステップＳ６０５のループを繰り返す。即ち、本装置における省エネモードとは、ＮＩＣ制御部９が破線内のステップＳ６０５をループしている状態である。そして、ＮＩＣ制御部９は振動センサ１２によって振動を検知するか、もしくは割り込みが発生した場合は、ＦＥＴトランジスタ７、８をＯＮして自分自身以外の全ての２次側の通電を再開する（Ｓ６０６）。即ち、装置はこの時点より省エネモードから復帰する。ＮＩＣ制御部９はその後、音声合成回路１９を通じてその時点での装置の状況を音声にて出力する（Ｓ６０７）。出力内容は基本的には沿うサブ（ｂ）に表示される内容をベースとするが、ユーザーがそれを聞いただけで内容を簡単に理解できるよう簡潔で充分に吟味された内容の音声メッセージ（正常時であれば紙の残量／トナーの残量等、ジャム時であればジャムの箇所、異常時であればＳＣの内容など）とする。その後に制御をメインルーチンに戻し通常動作を行う。
【００６９】
ステップＳ６０２で照度が設定値以下であると判断された場合（Ｓ６０２でＮＯのルート）、ＮＩＣ制御部９は予め設定された設定回数に到達するまでループを繰り返す（Ｓ６０８）。このループの中で設定回数に到達する以前に受光量が設定値以上であると判断された場合は、ステップＳ６０３に制御は移行する。また、このループの回数が設定回数まで到達した場合は（Ｓ６０８でＹＥＳのルート）、装置に光が当たっていない時間が一定時間以上であると判断された場合であるので、ＮＩＣ制御部９は、ＦＥＴトランジスタ７、８をＯＦＦにして自分自身以外の全ての２次側の通電を断つ（Ｓ６０９）。即ち、装置はこの時点より省エネモードの状態となる。次に、ＮＩＣ制御部９は振動センサ１２によって装置に振動が加えられているか否かを検知する（Ｓ６１０）。振動が無かった場合は（Ｓ６１０でＮＯのルート）、ＮＩＣ制御部９は照度センサ１３の照度の検知を行い、検知した照度があらかじめ設定された設定値以上か否かを判断する（Ｓ６１２）。設定値以下であった場合は（Ｓ６１２でＮＯのルート）、設定値以上の受光を検知するまでループを繰り返す。なおこのループ中に装置にステップＳ６１０にて装置に振動が検知された場合は制御をステップＳ６１１に移行する。ステップＳ６１２で設定値以上であった場合は（Ｓ６１２でＹＥＳのルート）、ＮＩＣ制御部９は予め設定された設定回数に到達するまでＳ６１３→Ｓ６１０→Ｓ６１２のループを繰り返す。なおこのループ中に装置にＳ６１０にて装置に振動が検知された場合は、制御をＳ６１１に移行する。また、このループの中で設定回数に到達する以前に受光量が設定値以下であると判断された場合は、Ｓ６１２にて再度設定値以上の受光を検知するまでＳ６１３→Ｓ６１０のループを繰り返す。また、このループの回数が設定回数まで到達した場合は、装置に光が当たっている時間が一定時間以上であると判断された場合であるので、ＮＩＣ制御部９はＦＥＴトランジスタ７、８をＯＮにして自分自身以外の全ての２次側の通電を再開する（Ｓ６１４）。即ち、装置はこの時点より省エネモードから復帰する。その後に制御をメインルーチンに戻し通常動作を行う。
【００７０】
また、制御が本処理に移行した場合、即ち省エネモード時で且つ装置に受光が無い状態にて、装置に振動が加えられた場合は、ＮＩＣ制御部９はメインスイッチ駆動信号１８をＬＯＷにしてメインスイッチ１５をＯＦＦにする（Ｓ６１１）。メインスイッチ１５がＯＦＦされたことにより装置への電源供給は断たれる。
【００７１】
【発明の効果】
本発明によれば、省エネルギーモードでも通電されている受光量を検知する照度センサと、振動を検知する振動センサを備えることで、周囲状況を把握できるので、装置の最適な稼動状態を自動的に作り出すことができ、速やかな装置の状態を省エネルギーモードから待機モードに移行を実現し、ユーザーに対する装置の操作性が簡易化できる。かつ朝一番の立ち上げ時においてユーザーの待ち時間を低減させ、かつ装置の消費エネルギーを低減せしめているので、ユーザーに対するアプライアンスを向上させ、地球環境保全に貢献している。
【図面の簡単な説明】
【図１】実施の形態１に係る画像形成装置内部の機能ブロック図である。
【図２】実施の形態１の省エネモード制御のフローチャートである。
【図３】実施の形態２に係る画像形成装置内部の機能ブロック図である。
【図４】実施の形態２の省エネモード制御のフローチャートである。
【図５】実施の形態３に係る画像形成装置内部の機能ブロック図である。
【図６】実施の形態３の省エネモード制御のフローチャートである。
【符号の説明】
１  電源部（ＰＳＵ）
２  エンジンボード
３  コントローラボード
４  ネットワークＩ／Ｆボード（ＮＩＣ）
５  操作部
６  コンバータ部
７、８  ＦＥＴトランジスタ
９  制御部
１０、１１、１７、１８  信号ライン
１２  振動センサ
１３  照度センサ
１４  ＬＡＮ
１５  メインスイッチ
１６  セントロニクスＩ／Ｆ
１９  音声合成回路
【図１】
2004175099.tif 000003
【図２】
2004175099.tif 000004
【図３】
2004175099.tif 000005
【図４】
2004175099.tif 000006
【図５】
2004175099.tif 000007
【図６】
2004175099.tif 000008